(57)【特許請求の範囲】
【請求項１】
芯地基材の一端部から離れた芯地基材上に、クッション材が積層されていることを特徴とするヘム用芯地。
【請求項２】
表地の折り返し片と接合するための芯地基材からなる接合領域と、クッション材が積層されたクッション領域とを有することを特徴とする請求項１に記載のヘム用芯地。
【請求項３】
接合領域は表地の折り返し片の形状に対応していることを特徴とする請求項１または２に記載のヘム用芯地。
【請求項４】
クッション材がフェルト、ニードルパンチ不織布、ステッチボンド不織布、繊維を接着剤又は接着繊維で結合した嵩高な不織布であることを特徴とする請求項１または２に記載のヘム用芯地。
【請求項５】
請求項１〜４のいずれかに記載のヘム用芯地が接合されていることを特徴とする裾。
【発明の詳細な説明】
【０００１】
【発明の属する技術分野】
この出願発明は、ヘム用芯地に関する。
【０００２】
【従来の技術】
従来のコート、ジャケット、ズボン、スカート等の裾回りや縁回り等のいわゆるヘムは、表地が折り返されており、折り返されて二重になっている部分と一枚だけの部分の境界で段差が生じ、いわゆる当たりが出るという問題がある。
とくに、カシミヤ等の厚みのある柔らかな素材は、裾部分の当たりが出やすく、縫製面で問題となっている。
これまでも、当たりを防ぐために、表地とその折り返し片との間にフラシ芯や接着芯を使用しているが、表地に厚みのある素材を用いた場合には十分に当たりを解消することができなかった。
【０００３】
【発明が解決しようとする課題】
この出願発明は、これらの問題を解決するものであり、裾上げ部分等のヘム部分に当たりがでにくい衣服を製作することができるヘム用芯地を提供することを目的とする。
【０００４】
【課題を解決するための手段】
この出願発明者等は、コート、ジャケット、ズボン、スカート等のヘム部分に当たりが出にくくなるような手段について種々検討した結果、芯地基材上に芯地基材の一端部から離れた部分にクッション材が積層されており、表地の折り返し片と接合するための芯地基材からなる接合領域と、クッション材が積層されたクッション領域とを有するヘム用芯地を折り返した表地の裾に接合することによりこれらの問題を解決することができた。
【０００５】
【発明の実施の形態】
この出願発明におけるヘム用芯地は、芯地基材の一端部から離れた芯地基材上にクッション材が積層されているため、芯地基材の接合領域部に表地の折り返し片を接合させることによって、表地の折り返し片による段差をクッション材によって緩和することができる。例えば、クッション材を表地の折り返し片の厚みより多少厚くしておけば、クッション材は小さな力で厚みが潰れるため、上から触れた場合に表地の折り返し片の厚みに厚さが揃って段差による当たりを感じにくくなる。また、表地の折り返し片と隣接する側と逆のクッション材の端部でも小さな力で厚みが潰れるため、当たりを感じにくい。
【０００６】
クッション材は、どのような形状でもよいが、作業の上からテープ状であることが好ましい。
また、クッション材は、当たりがより出にくいように、表地の折り返し部分から反対側に向かって薄くなっていてもよい。
【０００７】
クッション材の幅は、１０〜５０ｍｍが好ましく、特に、２０〜４０ｍｍが好ましい。
クッション材の厚みは、１〜１０ｍｍが好ましく、特に、２〜６ｍｍが好ましい。
厚みが１未満であると当たりが出やすくなり、１０ｍｍを超えるとクッション材自体を原因とする当たりが生じる場合がある。
【０００８】
クッション材は、フェルト、ニードルパンチ不織布、ステッチボンド不織布、繊維を接着剤又は接着繊維で結合した嵩高な不織布、繊維集合体を糸で補強したもの（ドミート）、発泡ポリウレタンなどの軟質発泡体などが好ましい。
とくに、フェルト、ニードルパンチ不織布、ステッチボンド不織布、繊維を接着剤又は接着繊維で結合した嵩高な不織布は、力を加えた方向に厚みが潰れやすく反発力が弱いため、当たりが出にくく、表地などに馴染みやすいのでよい。
【０００９】
芯地基材は通常芯地として使用されるものが使用されるが、不織布、織物、編物からなるものが好ましく、織物がとくに好ましい。とくに、織物を裾などのラインに対して経緯糸がクロスするように配置（いわゆるバイヤス使い）した場合は、裾のライン方向の表地の動きに追従し、裾部分をバランスよく補強できるのでよい。また、芯地基材には表地などと接着するための接着樹脂が付着されていてもよい。接着剤は、ドット状に付着していることが好ましいが、くもの巣状、線状に付着してもよい。接着剤は、低融点熱融着性樹脂が好ましく、特に、低融点ポリアミド樹脂、低融点ポリエステル樹脂が好ましい。
芯地基材はどのような形状でもよいが、作業の上からテープ状であることが好ましい。芯地基材の幅は７０〜１１０ｍｍが好ましく、８０〜１００ｍｍがとくに好ましい。
【００１０】
クッション材と芯地基材との積層は、縫製、接着剤等により行われるが、縫製の場合には、クッション材のほぼ中央を線状にミシンで縫製により芯地基材に接合することが好ましい。
芯地基材とクッション材とは長手方向に実質的に平行に積層されていることが望ましく、表地の折り返し片の長さに対応した長さだけ芯地基材の一端部から離れた位置にクッション材があることが望ましい。とくに、図４に示すヘム用芯地のように、芯地基材の長手方向の両端部から離れた位置にクッション材があると、一方の芯地基材の部分に表地の折り返し片を接合でき、他方の芯地基材の部分で、芯地基材のみの部分がない場合に比べて、クッション材の端部に生じる段差を徐々に小さくして当たりをより感じないようにできるので好ましい。なお、表地の折り返し片と接合するための接合領域の幅は、３０〜７０ｍｍ、より好ましくは４０〜６０ｍｍであることが望ましい。
【００１１】
この出願発明のヘム用芯地は、図１および図２に示すように、芯地基材２の端部から離れた部分にクッション材３を配置するものであり、芯地基材２とクッション材３の中央部とを糸４による縫製あるいは接着剤により接合する。
ヘム用芯地１と表地５とを一体にするには、コート、ジャケット、ズボン、スカート等の裾部の表地５を折り返して予め折り目を形成した後に、表地を一旦開き、表地５の折り返し片の裏面にヘム用芯地１の接合領域７の端部と折り目とが沿うように、ヘム用芯地１を重ねて糸８で止め、再び表地５を折り返して図２に示すような状態にすれば良い。
次いで、裏地６を図３に示すように表地５の裾部の折り返した部分に重ねて、縫製により表地５に取り付ける。
【００１２】
【実施例】
実施例１
幅９０ｍｍの織物からなる芯地基材の一端部（長手方向の辺）から４５ｍｍを接合領域としてあけ、この接合領域に隣接して、厚み４ｍｍ、幅３０ｍｍのテープ状のフェルトを芯地基材上に積層し、このフェルトの中央部を線状にミシンで芯地基材に接合して、クッション領域を有するヘム用芯地を作製する。
ついで、カシミヤのコートを裏返し、その裾部を折り返して折り目を形成した後に一旦開き、表地の折り返し片の裏面に、作製したヘム用芯地を、芯地の接合領域の端部と表地の折り目とを合わせて重ね、このヘム用芯地の端部から２５ｍｍ離れた部分を裾のラインと平行に、すくい縫いミシンを用いて糸で止めて表地にヘム用芯地を接合し、この後、再び表地を折り返して、図２に示すような状態にしてコートの裾上げを行った。更に、表地の折り返し片に対して、図３に示すように裏地を配置し、表地と裏地とを縫い合わせた。
コートの裾は、表地の裾の折り返した部分と折り返さない部分との境界がフェルトによって厚みの差がでないようになっているため、当たりが出ず、滑らかな感触の裾回りが得られた。また、美しい仕上がりであった。
【００１３】
実施例２
幅９０ｍｍの織物からなる芯地基材の一端部（長手方向の辺）から３５ｍｍを接合領域としてあけ、この接合領域に隣接して、低融点ポリエステル系熱融着性接着剤がドット状に付着した厚み３ｍｍ、幅３０ｍｍのテープ状の嵩高な不織布を芯地基材上に積層し、この嵩高な不織布を芯地基材に接合して、クッション領域を有するヘム用芯地を作製する。なお、嵩高な不織布には高捲縮性繊維を含む繊維ウェブに、アクリル系樹脂エマルジョンの接着剤をスプレーにより付与して乾燥することにより作製したものを使用した。
ついで、カシミヤのスカートを裏返し、その裾部を折り返して折り目を形成した後に一旦開き、表地の折り返し片の裏面に、作製したヘム用芯地を、芯地の接合領域の端部と表地の折り目とを合わせて重ね、このヘム用芯地の端部から２０ｍｍ離れた部分を裾のラインと平行にすくい縫いミシンを用いて糸で止めて表地にヘム用芯地を接合し、この後、再び表地を折り返して固定し、スカートの裾上げを行った。
スカートの裾は、表地の裾の折り返した部分と折り返さない部分との境界が嵩高な不織布によって厚みの差がでないようになっているため、当たりが出ず、滑らかな感触の裾回りが得られた。また、美しい仕上がりであった。
【００１４】
【発明の効果】
この出願発明のヘム用芯地は、衣服、とくに上着、ズボン、スカートなどのヘム部分に用いて、表地の折り返し片を芯地基材のみの部分に接合させることにより、表地の折り返し片による段差をクッション材によって緩和することができ、表側から触ったときに当たりが生じにくく、均質で美しい裾回りを提供することができる。とくに、表地として柔らかく厚みのある素材を用いた場合には、この出願発明のヘム用芯地を用いない場合と比べて、当たりの感触において顕著な差が生じる。
【図面の簡単な説明】
【図１】  この出願発明のヘム用芯地の断面図
【図２】  この出願発明のヘム用芯地を縫着した裾回りの断面図
【図３】  この出願発明のヘム用芯地を縫着した裏地のある裾回りの断面図
【図４】  この出願発明のヘム用芯地の平面図
【符号の説明】
１  ヘム用芯地
２  芯地基材
３  クッション材
４  糸
５  表地
６  裏地
７  接合領域
８  糸
【図１】
0003790015.tif 000002
【図２】
0003790015.tif 000003
【図３】
0003790015.tif 000004
【図４】
0003790015.tif 000005